【事件の表示】
　特願２００５−　４８００７「エレベータの押釦装置」拒絶査定不服審判事件〔平成１８年　９月　７日出願公開、特開２００６−２３２４５４〕について、次のとおり審決する。
【結　論】
　本件審判の請求は、成り立たない。
【理　由】
　
第１．手続の経緯  
　
　本件出願は、平成１７年２月２３日の出願であって、平成２１年１０月２８日付けの拒絶理由通知に対して平成２１年１２月２８日付けで意見書が提出されるとともに同日付けの手続補正書によって明細書及び特許請求の範囲について補正する手続補正がなされたが、平成２２年２月１日付けで拒絶査定がなされ、これに対し、平成２２年５月１０日に拒絶査定に対する審判請求がなされるとともに同時に同日付けの手続補正書によって明細書及び特許請求の範囲について補正する手続補正がなされ、その後、平成２２年１１月２９日付けの書面による審尋に対し平成２３年１月３１日付けで回答書が提出されたものである。
　そして、当審において平成２３年５月１９日付けで上記平成２２年５月１０日付けで提出された手続補正書による手続補正を却下する決定がなされるとともに、当審において平成２３年５月３１日付けで拒絶理由を通知したところ、平成２３年８月８日付けで意見書が提出されるとともに同日付けで明細書及び特許請求の範囲について補正する手続補正書が提出されたものである。 
 　 
第２．本件発明  
 　 
　本件出願の請求項１及び２に係る発明は、平成２３年８月８日付けの手続補正書により補正された明細書及び特許請求の範囲並びに出願当初の図面の記載からみて、その特許請求の範囲の請求項１及び２に記載された事項により特定されるものであるところ、そのうち請求項１に係る発明（以下、「本件発明」という。）は、以下のとおりのものと認められる。 
 　 
　「【請求項１】
　使用者により押される透明な押圧体がハウジングに固定されたバネ部材を介してハウジングの前面から突没自在に設けられると共に、エレベータの運転制御を行う制御部に接続されたスイッチ電極がハウジングの内部で押圧体の背方に対向配置され、上記バネ部材をハウジングに固定した外枠部とこの外枠部の内部に弾性架橋部を介して連結した内枠部とを一体にした弾性樹脂体にて形成し、この内枠部の前面に押圧体を取付けて該押圧体で内枠部の中央に形成された内枠中空孔を前方から塞ぐと共にスイッチ電極に対向した内枠部の背面に環状通電体をその周縁部に亙るように固定し、スイッチ電極を径の異なる一対の環状端子を同心円状に非接触状態に配置して形成すると共にこのうち径の小さい環状端子の内側に発光部材を配置し、弾性架橋部の付勢に抗って使用者が押圧体を背方へ押し込んだときに、押圧体と共に内枠部が背方へ押し込まれて環状通電体をスイッチ電極に面接触させて環状端子同士を通電可能にしたエレベータの押釦装置であり、前記制御部となるプリント配線板と前記ハウジングの前面を構成する正面板とを隙間を介して積層することで同ハウジングを形成し、正面板には前記押圧体を挿通させて突没させる押釦用孔を複数設け、同正面板とプリント配線板との間に挟まるスペーサを設けることで前記隙間の厚みを規制すると共に、同スペーサを隣接する前記スイッチ電極を区分けするようにその周囲に亙って設けることで前記バネ部材を収容する空間を複数形成したことを特徴とするエレベータの押釦装置。」 
 　  
第３．刊行物に記載された発明  
　
（１）刊行物１に記載された発明
　
　当審において平成２３年５月３１日付けで通知した拒絶の理由に引用された本件出願前に頒布された刊行物である実願昭５６−１５８８号（実開昭５７−１１５１２６号）のマイクロフィルム（以下、「刊行物１」という。）には、（ａ）明細書第１ページ５ないし１３行、（ｂ）同第３ページ１１行ないし第４ページ６行、及び、（ｃ）同第４ページ７ないし１５行等の記載並びに図面（特に、第２図ないし第３図）の記載からみて、次の発明（以下、「刊行物１に記載された発明」という。）が記載されていると認められる。
　
「操作者の指等により押される操作面が透明あるいは半透明な押しボタン１が基板６及び前面板７等からなるケース体に固定された弾性部材２を介してケース体の前面板７から突没自在に設けられると共に、一対の導体ランド４、５がケース体内の基板６の上面で押しボタン１の背方に対向配置され、弾性部材２をケース体の基板６上に配設された外方の平板状部とこの外方の平板状部の内部に薄肉の円錐形状部を介して連結した内方の円筒状部とを一体にした部材にて形成し、この内方の円筒状部の前面に押しボタン１を取付けて該押しボタン１で内方の円筒状部の中央に形成された貫通孔を前方から塞ぐと共に一対の導体ランド４、５に対向した内方の円筒状部の背面に導電部材３をその周縁部に亙るように固定し、押しボタン１の背方内部のほぼ中央付近で一対の導体ランド４、５間に発光素子（発光ダイオード）８を配置し、弾性部材２の薄肉の円錐形状部の付勢に抗って操作者が指等により押しボタン１を背方へ押し込んだときに、押しボタン１と共に弾性部材２の内方の円筒状部が背方へ押し込まれて導電部材３を一対の導体ランド４、５に接触させて一対の導体ランド４、５の導体ランド４、５同士を通電可能にした押しボタンスイッチであり、基板６とケース体の前面を構成する前面板７とを隙間を介して積層することで同ケース体を形成した押しボタンスイッチ。」
　
（２）刊行物２に記載された発明
　
　当審において平成２３年５月３１日付けで通知した拒絶の理由に引用された本件出願前に頒布された刊行物である実願昭４７−３７９４４号（実開昭４８−１１３６６２号）のマイクロフィルム（以下、「刊行物２」という。）には、（ａ）明細書第１ページ５ないし１１行、（ｂ）同第２ページ１行ないし第３ページ１２行、及び、（ｃ）同第３ページ１３行ないし第４ページ４行等の記載並びに図面（特に、第１及び２図）の記載からみて、次の発明（以下、「刊行物２に記載された発明」という。）が記載されていると認められる。
　
「２重の同心円状の円形部と各円形部にそれぞれ内方と外方へ間隔をおいて交互に延設された突出部とを有する２個の環状電極を非接触状態で配置して形成されたスイッチング用電極と２個の環状電極のうち径の小さい環状電極の内側に照明ランプを配置するプリント基板と、下方部に環状短絡電極を固着し、フレームの前面の貫通孔から突没自在に設けられる押釦と、フレーム内で押釦を上方に付勢するようにプリント基板との間に介在されたコイルばねとからなり、押釦がコイルばねの付勢力に抗して下方へ押し込まれたときに、押釦と共に環状短絡電極が下方へ押し込まれ、環状短絡電極をスイッチング用電極の環状電極に面接触させて環状電極の端子同士を導通閉成すると同時に照明ランプを点灯させるように構成されたスイッチ。」
　
（３）刊行物３に記載された発明
　
　当審において平成２３年５月３１日付けで通知した拒絶の理由に引用された本件出願前に頒布された刊行物である実願昭５５−１７６４２９号（実開昭５７−９８６３０号）のマイクロフィルム（以下、「刊行物３」という。）には、（ａ）明細書第１ページ５ないし１４行、（ｂ）同第３ページ３行ないし第５ページ１１行、（ｃ）同第５ページ１２行ないし第６ページ６行、（ｄ）同第６ページ７行ないし第７ページ９行、及び、（ｅ）同第７ページ１０行ないし第８ページ１行等の記載並びに図面（特に、第１図ないし第５図等）の記載からみて、次の発明（以下、「刊行物３に記載された発明」という。）が記載されていると認められる。
　
「一対の固定接点部と該固定接点部間に配置された発光体が設けられた支持体と、ケース内に固定される外方円筒部と薄肉の弾性状円錐形部と下端部にリング状の導電性可動接点が固着され上方部を透明な押釦部とする内方円筒部とを一体的に形成された可動体とからなり、押釦部が下方へ押圧されることにより、可動部の内方円筒部が弾性状円錐形部の弾性変形に伴い下動し、内方円筒部のリング状の導電性可動接点が一対の固定接点部に当接し、一対の固定接点部を導通閉成すると同時に発光体を点灯させるように構成された照光式スイッチ。」（以下、「刊行物３に記載された発明」という。）が記載されている。
　
第４．対比・判断  
　
　本件発明と刊行物１に記載された発明とを対比すると、刊行物１に記載された発明における「操作者」、「透明あるいは半透明」、「押しボタン１」、「ケース体」、「弾性部材２」、「ケース体の前面板７」、「一対の導体ランド４、５」、「ケース体内の基板６の上面」、「ケース体の基板６上に配設された」、「外方の平板状部」、「薄肉の円錐形状部」、「内方の円筒状部」、「貫通孔」、「導電部材３」、「接触」、「前面板７」及び「押しボタンスイッチ」は、その構造、形状、機能又は技術的意義からみて、本件発明における「使用者」、「透明」、「押圧体」、「ハウジング」、「バネ部材」、「ハウジングの前面」、「スイッチ電極」、「ハウジングの内部」、「ハウジングに固定した」、「外枠部」、「弾性架橋部」、「内枠部」、「内枠中空孔」、「環状通電体」、「面接触」、「正面板」及び「押釦装置」に、それぞれ相当する。 
　また、刊行物１に記載された発明における「部材」は、「部材」という限りにおいて、本件発明における「弾性樹脂体」に相当する。  
　また、刊行物１に記載された発明における「基板６」は、「基板」という限りにおいて、本件発明における「プリント配線板」に相当する。
　また、刊行物１に記載された発明における「導体ランド４、５」は、「スイッチ電極の端子」という限りにおいて、本件発明における「環状端子」に相当し、刊行物１に記載された発明における「押しボタン１の背方内部のほぼ中央付近で一対の導体ランド４、５間に発光素子（発光ダイオード）８を配置し」は、「スイッチ電極を一対の端子にて形成すると共に、スイッチ電極の中央部に発光部材を配置し」という限りにおいて、本件発明における「スイッチ電極を径の異なる一対の環状端子を同心円状に非接触状態に配置して形成すると共にこのうち径の小さい環状端子の内側に発光部材を配置し」に相当する。
　してみると、本件発明と刊行物に記載された発明とは、  
「使用者により押される透明な押圧体がハウジングに固定されたバネ部材を介してハウジングの前面から突没自在に設けられると共に、スイッチ電極がハウジングの内部で押圧体の背方に対向配置され、バネ部材をハウジングに固定した外枠部とこの外枠部の内部に弾性架橋部を介して連結した内枠部とを一体にした部材にて形成し、この内枠部の前面に押圧体を取付けて該押圧体で内枠部の中央に形成された内枠中空孔を前方から塞ぐと共にスイッチ電極に対向した内枠部の背面に環状通電体をその周縁部に亙るように固定し、スイッチ電極を一対の端子にて形成すると共に、スイッチ電極の中央部に発光部材を配置し、弾性架橋部の付勢に抗って使用者が押圧体を背方へ押し込んだときに、押圧体と共に内枠部が背方へ押し込まれて環状通電体をスイッチ電極に面接触させてスイッチ電極の端子同士を通電可能にした押釦装置であり、基板とハウジングの前面を構成する正面板とを隙間を介して積層することで同ハウジングを形成した押釦装置。」
の点で一致し、次の点で相違する。  
 　  
＜相違点１＞  
　
　バネ部材に関して、
　本件発明においては、バネ部材を「ハウジングに固定した外枠部とこの外枠部の内部に弾性架橋部を介して連結した内枠部とを一体にした弾性樹脂体にて形成」しているのに対し、
　刊行物１に記載された発明においては、弾性部材２は、「ケース体の基板６上に配設された外方の平板状部とこの外方の平板状部の内部に薄肉の円錐形状部を介して連結した内方の円筒状部とを一体にした部材にて形成」している点（以下、「相違点１」という。）。
　
＜相違点２＞ 
　
　「スイッチ電極を一対の端子にて形成すると共に、スイッチ電極の中央部に発光部材を配置」することに関して、
　本件発明においては、「スイッチ電極を径の異なる一対の環状端子を同心円状に非接触状態に配置して形成すると共にこのうち径の小さい環状端子の内側に発光部材を配置」しているのに対し、
　刊行物１に記載された発明においては、「押しボタン１の背方内部のほぼ中央付近で一対の導体ランド４、５間に発光素子（発光ダイオード）８を配置」している点（以下、「相違点２」という。）。 
　
＜相違点３＞
　
　本件発明においては、スイッチ電極はエレベータの運転制御を行う制御部に接続され、押釦装置がエレベータに用いる押釦装置であるのに対し、刊行物１に記載された発明においては、エレベータに関するものであるか否か不明である点（以下、「相違点３」という。）。
　
＜相違点４＞
　
　ハウジングの形成に関して、
　本件発明においては、「制御部となるプリント配線板とハウジングの前面を構成する正面板とを隙間を介して積層することで同ハウジングを形成し、正面板には押圧体を挿通させて突没させる押釦用孔を複数設け、同正面板とプリント配線板との間に挟まるスペーサを設けることで前記隙間の厚みを規制すると共に、同スペーサを隣接するスイッチ電極を区分けするようにその周囲に亙って設けることでバネ部材を収容する空間を複数形成」しているのに対し、
　刊行物１に記載された発明においては、「基板６とケース体の前面を構成する前面板７とを隙間を介して積層することで同ケース体を形成」しており、スペーサに関して明らかではなく、基板６がプリント配線板であるか否か、正面板に押釦用孔が設けられているか否か不明である点（以下、「相違点４」という。）。
　
　まず、相違点１について検討する。
　刊行物１に記載された発明における「弾性部材２」は、その機能からみて、本件発明の「バネ部材」に相当するものであるところ、刊行物１に記載された発明における弾性部材２の「外方の平板状部」はその形状において本件発明のバネ部材の「外枠部」とやや相違している。 
　一方、刊行物３に記載された発明は、前述のとおりであるから、この刊行物３に記載された発明から、「ハウジングに固定した外方円筒部とこの外方円筒部の内部に弾性状円錐形部を介して連結した内方円筒部とを一体にした弾性樹脂体にて形成したばね部材を用いる技術」（以下、「刊行物３の技術」という。）を導くことができる。 
　してみると、刊行物１に記載された発明における弾性部材２（本件発明における「バネ部材」に相当する。）について、刊行物３の技術を採用して、相違点１に係る本件発明の発明特定事項とすることは、当業者であれば、容易に想到できたことである。 
　
　次に、相違点２について検討する。
　刊行物２に記載された発明は、前述のとおりであるから、この刊行物２に記載された発明から、「スイッチ電極を径の異なる一対の環状端子を同心円状に非接触状態に配置して形成するとともに一対の環状端子のうち径の小さい環状端子の内側に発光部材を配置する技術」（以下、「刊行物２の技術」という。）を導くことができる。
　してみると、刊行物１に記載された発明における一対の導体ランド４、５（本件発明における「スイッチ電極」に相当する。）と一対の導体ランド４、５間の発光素子を配置することに代えて、刊行物２の技術を採用して、相違点２に係る本件補正発明の発明特定事項とすることは、当業者であれば、容易に想到できたことである。
　
　次に、相違点３について検討する。
　エレベータにおいて、その運行制御を行うべく、押釦装置のスイッチ電極をエレベータの運行制御を行う制御部に接続することは、本件出願の出願前に周知の技術（例えば、特開昭６２−７９１８５号公報、及び、特開平１−２６７２７９号公報［特に、第１ページ右下欄第３行ないし第２ページ左上欄第１０行並びに第５ないし７図］等参照。以下、「周知技術１」という。）であることを考慮すれば、刊行物１に記載された発明を周知のエレベータの押釦装置に適用して、相違点３に係る本件発明の発明特定事項とすることは、当業者であれば、容易に想到できたことである。
　
　最後に、相違点４について検討する。
　スイッチの技術分野において、ハウジングの形成に関し、基板とハウジングの前面を構成する正面板とを隙間を介して積層することで同ハウジングを形成し、同正面板とプリント配線板との間に挟まるスペーサを設けることで前記隙間の厚みを規制すると共に、同スペーサを隣接するスイッチ電極を区分けするようにその周囲に亙って設けることは、本件出願の出願前に周知の技術（例えば、特開平８−１６１９７０号公報［特に、段落【０００６】ないし【００１２】並びに図１及び２］、及び、特開昭６１−１５８６３０号公報等参照。以下、「周知技術２」という。）である。
　一方、押釦装置において、ハウジングの前面を構成する正面板に押圧体を挿通させて突没させる押釦用孔を複数設けることも、プリント配線板とハウジングの前面を構成する正面板とを隙間を介して積層することで同ハウジングを形成することも、双方とも、本件出願の出願前にごく普通に行われていることである（前者、後者ともに、例えば、前述の相違点３の検討において例示した特開昭６２−７９１８５号公報、及び、特開平１−２６７２７９号公報等参照。）。
　してみると、刊行物１に記載された発明におけるケース体（本件発明における「ハウジング」に相当する。）の形成について、周知技術２を適用して、相違点４に係る本件発明の発明特定事項とすることは、当業者であれば、容易に想到できたことである。
　
　そして、本件発明は、全体としてみても、刊行物１に記載された発明、刊行物２及び３の技術並びに周知技術１及び２から予測される以上の格別な効果を奏するものではない
　
第５．むすび  
　
　以上のとおり、本件発明は、刊行物１に記載された発明、刊行物２及び３の技術並びに周知技術１及び２に基いて、当業者が容易に発明をすることができたものであるから、特許法第２９条第２項の規定により、特許を受けることができない。 
　
　よって、結論のとおり審決する。